【手続補正書】
【提出日】平成18年3月27日(2006.3.27)
【手続補正１】
【補正対象書類名】明細書
【補正対象項目名】発明の名称
【補正方法】変更
【補正の内容】
【発明の名称】処理面積算出方法及び感光材料処理装置
【手続補正２】
【補正対象書類名】明細書
【補正対象項目名】特許請求の範囲
【補正方法】変更
【補正の内容】
【特許請求の範囲】
【請求項１】  挿入口から挿入される感光材料を、挿入口近傍に配置される搬送ローラ対によって挟持して引き入れ、当該感光材料を所定の搬送速度で搬送しながら処理する感光材料処理装置において、前記感光材料の処理面積を算出する処理面積算出方法であって、
それぞれが前記搬送ローラ対へ向けて移動される前記感光材料の有無を検出する少なくとも２つのセンサを、感光材料の搬送方向に沿ってオフセットして配置し、
前記オフセットされて配置されている何れか一つのセンサが前記感光材料を検出している時間と前記感光材料の前記搬送速度に基づいて感光材料の処理面積を算出するときに、
オフセットされた前記センサの間で前記感光材料を検出する検出時間差に基づいて、感光材料がセンサから前記搬送ローラ対に達するまでの挿入時間差に起因する感光材料の処理面積算出差を補正する、
ことを特徴とする処理面積算出方法。
【請求項２】  挿入口から挿入される感光材料を、挿入口近傍に配置される搬送ローラ対によって挟持して引き入れ、当該感光材料を所定の搬送速度で搬送しながら処理する感光材料処理装置において、前記感光材料の処理面積を算出する処理面積算出方法であって、
それぞれが前記搬送ローラ対へ向けて移動される前記感光材料を検出可能な複数のセンサを、感光材料の搬送幅方向に沿って配置して、感光材料の幅方向サイズを判別すると共に、
前記センサの少なくとも２個を感光材料の搬送方向に沿ってオフセットして配置して、
前記オフセットされたセンサの何れか一方の位置を基準位置として、基準位置と前記搬送ローラ対の前記感光材料の挟持点までの搬送距離とオフセットされた２個のセンサの間で感光材料を検出する検出時間差から、感光材料が基準位置のセンサに検出されてから挟持点に達するまでの挿入時間を演算し、
前記基準位置の前記センサによる前記感光材料有の検出時間から前記挿入時間を差し引いた時間と前記搬送速度から算出した距離に、前記搬送距離を加算することで感光材料の搬送方向サイズを演算して、
前記感光材料の前記搬送方向サイズ及び前記幅方向サイズから感光材料の処理面積を算出する、
ことを特徴とする処理面積算出方法。
【請求項３】  感光材料の先端部を挟持し、回転することが可能な搬送ローラ対を挿入口近傍に配置し、この搬送ローラ対で挟持するまで前記感光材料を挿入することで、当該感光材料を所定の搬送速度で処理する感光材料処理装置であって、
前記搬送ローラ対の上流側に感光材料幅方向に沿って配設され、それぞれ感光材料の有無を検出する複数のセンサを備え、前記センサによる検出状態に基づいて感光材料の処理面積を演算する処理面積演算手段を有し、
前記センサを搬送方向にオフセットして配置し、このオフセットされたセンサによる検出時間差に基づいて、センサから搬送ローラ対までの挿入時間差に起因する前記処理面積演算手段の演算による処理面積演算差を補正する補正手段と、
を有する感光材料処理装置。
【請求項４】  感光材料の先端部を挟持し、回転することが可能な搬送ローラ対を挿入口近傍に配置し、この搬送ローラ対で挟持するまで前記感光材料を挿入することで、当該感光材料を所定の搬送速度で処理する感光材料処理装置であって、
全ての感光材料幅方向サイズにおいて必ず感光材料を検出すると共に互いに搬送方向にオフセットされた少なくとも２個を含み、前記搬送ローラ対の上流側に感光材料幅方向に沿って配設され、それぞれが感光材料の有無を検出する複数のセンサと、
前記２個のセンサのオフセット量と、オフセットしたセンサの何れか一方の基準検出位置から前記搬送ローラ対の挟持点までの搬送距離と、を予め記憶する記憶手段と、
感光材料の挿入時における前記２個のセンサ間に検出時間差と前記搬送距離から前記基準位置のセンサに検出されてから前記挟持点までの挿入時間を演算する挿入時間演算手段と、
前記基準検出位置のセンサによる感光材料有りの検出時間から前記挿入時間を差し引いた時間と前記搬送速度から算出した距離に、前記搬送距離を加算することで、感光材料搬送方向サイズを演算する感光材料搬送方向サイズ演算手段と、
前記複数のセンサ毎の検出状態で感光材料の幅方向サイズを判別する感光材料幅方向サイズ判別手段と、
前記感光材料搬送方向サイズ演算手段により演算された感光材料搬送方向サイズと、前記感光材料幅方向サイズ判別手段で判別された感光材料幅方向サイズとから、感光材料の処理面積を演算する処理面積演算手段と、
を有する感光材料処理装置。
【手続補正３】
【補正対象書類名】明細書
【補正対象項目名】０００１
【補正方法】変更
【補正の内容】
【０００１】
【発明の属する技術分野】
本発明は、感光材料の先端部を挟持し、回転することが可能な搬送ローラ対を挿入口近傍に配置し、この搬送ローラ対で挟持するまで前記感光材料を挿入することで、当該感光材料を所定の搬送速度で処理するときの処理面積算出方法及び感光材料処理装置に関するものである。
【手続補正４】
【補正対象書類名】明細書
【補正対象項目名】００１０
【補正方法】変更
【補正の内容】
【００１０】
本発明は上記事実を考慮し、作業者の手作業等による挿入差に起因するセンサによる感光材料検出時間差を補正し、補充液の補充に必要な感光材料の処理面積を正確に求めることができる処理面積算出方法及び感光材料処理装置を得ることが目的である。
【手続補正５】
【補正対象書類名】明細書
【補正対象項目名】００１１
【補正方法】変更
【補正の内容】
【００１１】
【課題を解決するための手段】
請求項１に記載の処理面積算出方法は、挿入口から挿入される感光材料を、挿入口近傍に配置される搬送ローラ対によって挟持して引き入れ、当該感光材料を所定の搬送速度で搬送しながら処理する感光材料処理装置において、前記感光材料の処理面積を算出する処理面積算出方法であって、それぞれが前記搬送ローラ対へ向けて移動される前記感光材料の有無を検出する少なくとも２つのセンサを、感光材料の搬送方向に沿ってオフセットして配置し、前記オフセットされて配置されている何れか一つのセンサが前記感光材料を検出している時間と前記感光材料の前記搬送速度に基づいて感光材料の処理面積を算出するときに、オフセットされた前記センサの間で前記感光材料を検出する検出時間差に基づいて、感光材料がセンサから前記搬送ローラ対に達するまでの挿入時間差に起因する感光材料の処理面積算出差を補正する、ことを特徴としている。
また、請求項３に記載の感光材料処理装置は、感光材料の先端部を挟持し、回転することが可能な搬送ローラ対を挿入口近傍に配置し、この搬送ローラ対で挟持するまで前記感光材料を挿入することで、当該感光材料を所定の搬送速度で処理する感光材料処理装置であって、前記搬送ローラ対の上流側に感光材料幅方向に沿って配設され、それぞれ感光材料の有無を検出する複数のセンサを備え、前記センサによる検出状態に基づいて感光材料の処理面積を演算する処理面積演算手段を有し、前記センサを搬送方向にオフセットして配置し、このオフセットされたセンサによる検出時間差に基づいて、センサから搬送ローラ対までの挿入時間差に起因する前記処理面積演算手段の演算による処理面積演算差を補正する補正手段と、を有している。
【手続補正６】
【補正対象書類名】明細書
【補正対象項目名】００１２
【補正方法】変更
【補正の内容】
【００１２】
この発明によれば、センサをオフセットすることで、このオフセットされたセンサ間において、挿入時に感光材料を検出する時間差が生じる。この時間差と、オフセット量により挿入速度を認識でき、例えば、手差し挿入によるセンサから搬送ローラ対までの挿入時間差を認識し、処理面積演算手段による処理面積演算結果に対して、上記挿入時間差分を補正する。これにより、正確な感光材料の処理面積を求めることができる。
【手続補正７】
【補正対象書類名】明細書
【補正対象項目名】００１３
【補正方法】変更
【補正の内容】
【００１３】
請求項２に記載の処理面積算出方法は、挿入口から挿入される感光材料を、挿入口近傍に配置される搬送ローラ対によって挟持して引き入れ、当該感光材料を所定の搬送速度で搬送しながら処理する感光材料処理装置において、前記感光材料の処理面積を算出する処理面積算出方法であって、それぞれが前記搬送ローラ対へ向けて移動される前記感光材料を検出可能な複数のセンサを、感光材料の搬送幅方向に沿って配置して、感光材料の幅方向サイズを判別すると共に、前記センサの少なくとも２個を感光材料の搬送方向に沿ってオフセットして配置して、前記オフセットされたセンサの何れか一方の位置を基準位置として、基準位置と前記搬送ローラ対の前記感光材料の挟持点までの搬送距離とオフセットされた２個のセンサの間で感光材料を検出する検出時間差から、感光材料が基準位置のセンサに検出されてから挟持点に達するまでの挿入時間を演算し、前記基準位置の前記センサによる前記感光材料有の検出時間から前記挿入時間を差し引いた時間と前記搬送速度から算出した距離に、前記搬送距離を加算することで感光材料の搬送方向サイズを演算して、前記感光材料の前記搬送方向サイズ及び前記幅方向サイズから感光材料の処理面積を算出する、ことを特徴としている。
また、請求項４に記載の感光材料処理装置は、感光材料の先端部を挟持し、回転することが可能な搬送ローラ対を挿入口近傍に配置し、この搬送ローラ対で挟持するまで前記感光材料を挿入することで、当該感光材料を所定の搬送速度で処理する感光材料処理装置であって、全ての感光材料幅方向サイズにおいて必ず感光材料を検出すると共に互いに搬送方向にオフセットされた少なくとも２個を含み、前記搬送ローラ対の上流側に感光材料幅方向に沿って配設され、それぞれが感光材料の有無を検出する複数のセンサと、前記２個のセンサのオフセット量と、オフセットしたセンサの何れか一方の基準検出位置から前記搬送ローラ対の挟持点までの搬送距離と、を予め記憶する記憶手段と、感光材料の挿入時における前記２個のセンサ間に検出時間差と前記搬送距離から前記基準位置のセンサに検出されてから前記挟持点までの挿入時間を演算する挿入時間演算手段と、前記基準検出位置のセンサによる感光材料有りの検出時間から前記挿入時間を差し引いた時間と前記搬送速度から算出した距離に、前記搬送距離を加算することで、感光材料搬送方向サイズを演算する感光材料搬送方向サイズ演算手段と、前記複数のセンサ毎の検出状態で感光材料の幅方向サイズを判別する感光材料幅方向サイズ判別手段と、前記感光材料搬送方向サイズ演算手段により演算された感光材料搬送方向サイズと、前記感光材料幅方向サイズ判別手段で判別された感光材料幅方向サイズとから、感光材料の処理面積を演算する処理面積演算手段と、を有している。
【手続補正８】
【補正対象書類名】明細書
【補正対象項目名】００１４
【補正方法】変更
【補正の内容】
【００１４】
この発明によれば、感光材料には複数の幅方向サイズがあり、これら全てのサイズに対して必ず検出可能の２個のセンサを選択する。例えば、幅方向一端部を基準として挿入する場合は、この一端部側のセンサとこれに隣接するセンサを選択すればよいし、センター基準の場合には、このセンター位置のセンタとこれに隣接するセンサを選択すればよい。
【手続補正９】
【補正対象書類名】明細書
【補正対象項目名】００１６
【補正方法】変更
【補正の内容】
【００１６】
感光材料を例えば手差し挿入する場合、この手差し速度が作業者毎、或いは同一の作業者であっても１回毎に異なる場合がある。この手差し速度は、オフセットされたセンサの検出時間差として現れる。そこで、挿入時間演算手段では、２個のオフセットされたセンサ間の検出時間差である挿入時間を演算する。
【手続補正１０】
【補正対象書類名】明細書
【補正対象項目名】００１７
【補正方法】変更
【補正の内容】
【００１７】
次に、感光材料搬送方向サイズ演算手段では、基準検出位置のセンサによる感光材料有りの検出時間から前記挿入時間を差し引いた時間と、搬送ローラ対の搬送速度から得られる距離に、前記記憶手段に記憶した搬送距離を加算する。これにより、正確な感光材料の搬送方向長さを求めることができる。